(57)【要約】【課題】  ドア開閉時に設定温度までの復帰時間が長時間化するのを抑制するサウナ装置を提供する。【解決手段】  サウナ浴が実施可能な安定モード中において弱モードが設定された場合、室温センサ４６で検知される室温が設定温度に達するまで、貯水温度センサ４４で検知される貯水温度と設定温度とに基づく加熱ヒータ９のＯＮ／ＯＦＦの切り替え温度を標準モード設定時と比較してそれぞれ高くし、送風口５からサウナ室２内へ送風される加湿空気の温度を標準モード設定時より高くしたので、送風口５から送風される加湿空気の送風温度が標準モードより高いことでサウナ室２内の温度上昇効率を向上させることができるため、弱モード設定時にサウナ室２のドア４８が開閉されサウナ室２内の温度が低下し、設定温度付近まで復帰する時間が標準モード設定時と比較して大幅に長時間化することを抑制することができる。【選択図】  図１６
2020081348.tif 000002
【特許請求の範囲】
【請求項１】
開閉可能なドアを備えたサウナ室と、
水を貯水する貯水タンクと、
当該貯水タンクの水中に設置されＯＮ／ＯＦＦ状態が切り替え可能な加熱ヒータと、
前記貯水タンクと前記加熱ヒータとを有して構成された加湿空気発生手段と、
当該加湿空気発生手段により発生した加湿空気を送風口から前記サウナ室内へ送風する回転数可変の送風ファンと、
前記貯水タンク内の貯水温度を検知する貯水温度センサと、
前記通常運転中に前記貯水温度センサで検知された貯水温度と所定の切り替え温度とを比較して前記加熱ヒータのＯＮ／ＯＦＦ状態を切り替える制御部と、を備え、
前記通常運転は、標準モードと、当該標準モードより前記送風ファンの回転数が低く設定された弱モードとが設定可能であり、
前記制御部は、前記弱モードが設定されたとき、前記所定の切り替え温度を前記標準モードより高くしたことを特徴としたサウナ装置。
【請求項２】
前記サウナ室の所望の室温を設定する室温設定手段と、
前記サウナ室の室温を検知する室温センサと、を設け、
前記制御部は、前記通常運転中に前記室温センサで検知された室温が前記室温設定手段で設定された所望の室温以上になると、前記加熱ヒータをＯＦＦ状態に切り替え、前記室温センサで検知された室温が前記室温設定手段で設定された所望の室温より低い所定温度以下になると、前記貯水温度センサで検知される貯水温度と前記所定の切り替え温度とを比較して前記加熱ヒータのＯＮ／ＯＦＦ状態を切り替えることを特徴とした請求項１記載のサウナ装置。
【請求項３】
前記所定の切り替え温度は前記室温設定手段で設定した所望の室温に所定の値を加算した温度とし、前記所定の値を、前記標準モードより前記弱モードの方が大きくなるようにしたことを特徴とした請求項２記載のサウナ装置。
【発明の詳細な説明】
【技術分野】
【０００１】
この発明は、加熱ヒータで加熱された水を加湿空気発生手段により温度上昇した加湿空気としてサウナ室内へ供給することでサウナ浴を可能とするサウナ装置に関するものである。
【背景技術】
【０００２】
従来、この種のものでは、サウナ室内に設置された貯水タンク内の水を加熱ヒータにより加熱し、加湿空気発生手段により加湿空気を発生させ、送風ファンを回転駆動させることで加熱された加湿空気を送風口からサウナ室内へ供給し、サウナ室内の室温が設定温度以上となるまで加熱ヒータをＯＮ状態にし、室温が設定温度以上となったら加熱ヒータを
ＯＦＦ状態に切り替える通常運転を制御するものがあり、通常運転の実施により設定温度付近でのサウナ浴を可能としていた（例えば、特許文献１）。
【先行技術文献】
【特許文献】
【０００３】
【特許文献１】特開２０１５−１４２６７０号公報
【発明の概要】
【発明が解決しようとする課題】
【０００４】
しかし、この従来のものでは、通常運転における静音性を高める目的等で通常運転時における送風ファンの回転数を従来の設定値より低下させる弱モードが設定可能となった場合、弱モードが設定されると通常運転時にサウナ室内へ供給される加湿空気量が減少することから、弱モードが設定された状態でサウナ室内へユーザーが入室してドアを開閉することでサウナ室内の温度が低下した後、サウナ室内の温度が設定温度まで復帰する時間が従来と比較して長時間化するため、ユーザーが設定温度以下でのサウナ浴を長時間に渡り強いられ不快に感じる虞があり、改善の余地があった。
【課題を解決するための手段】
【０００５】
上記課題を解決するために、本発明の請求項１では、開閉可能なドアを備えたサウナ室と、
水を貯水する貯水タンクと、
当該貯水タンクの水中に設置されＯＮ／ＯＦＦ状態が切り替え可能な加熱ヒータと、
前記貯水タンクと前記加熱ヒータとを有して構成された加湿空気発生手段と、
当該加湿空気発生手段により発生した加湿空気を送風口から前記サウナ室内へ送風する回転数可変の送風ファンと、
前記貯水タンク内の貯水温度を検知する貯水温度センサと、
前記通常運転中に前記貯水温度センサで検知された貯水温度と所定の切り替え温度とを比較して前記加熱ヒータのＯＮ／ＯＦＦ状態を切り替える制御部と、を備え、
前記通常運転は、標準モードと、当該標準モードより前記送風ファンの回転数が低く設定された弱モードとが設定可能であり、
前記制御部は、前記弱モードが設定されたとき、前記所定の切り替え温度を前記標準モードより高くしたことを特徴としている。
【０００６】
また、前記サウナ室の所望の室温を設定する室温設定手段と、
前記サウナ室の室温を検知する室温センサと、を設け、
前記制御部は、前記通常運転中に前記室温センサで検知された室温が前記室温設定手段で設定された所望の室温以上になると、前記加熱ヒータをＯＦＦ状態に切り替え、前記室温センサで検知された室温が前記室温設定手段で設定された所望の室温より低い所定温度以下になると、前記貯水温度センサで検知される貯水温度と前記所定の切り替え温度とを比較して前記加熱ヒータのＯＮ／ＯＦＦ状態を切り替えることを特徴としている。
【０００７】
また、前記所定の切り替え温度は前記室温設定手段で設定した所望の室温に所定の値を加算した温度とし、前記所定の値を、前記標準モードより前記弱モードの方が大きくなるようにしたことを特徴としている。
【発明の効果】
【０００８】
この発明によれば、通常運転時に標準モードより送風ファンの回転数が低い弱モードが設定されたとき、所定の切り替え温度を標準モードより高くするので、送風口から吹き出す加湿空気の温度が標準モードと比較して弱モードの方が高まることから、サウナ室のドアを開閉したことで室内温度が低下した後、室内温度が復帰する時間の長時間化を防止することができるため、長時間に渡り室内温度が低い状態でユーザーがサウナ浴を実施することでの不快感を抑制することができる。
【０００９】
また、通常運転中に室温センサで検知された室温が室温設定手段で設定された所望の室温以上になると、加熱ヒータをＯＦＦ状態に切り替え、室温センサで検知された室温が室温設定手段で設定された所望の室温より低い所定温度以下になると、貯水温度センサで検知される貯水温度と所定の切り替え温度とを比較して加熱ヒータのＯＮ／ＯＦＦ状態を切り替えるので、サウナ室内の室内温度が所望の室温を逸脱することがなく、室内温度が所望の室温に復帰する時間の長時間化を防止することができるため、サウナ浴の快適性が低下するのを抑制できる。
【００１０】
また、所定の切り替え温度は室温設定手段で設定した所望の室温に所定の値を加算した温度とし、所定の値を、標準モードより弱モードの方が大きくなるようにしたので、サウナ室内へ送風される加湿空気の温度が所望の室温に応じて確実に変化し、標準モードよりより弱モードの方が送風される加湿空気の温度が高まるため、サウナ室のドアを開閉したことで室内温度が低下した後、室内温度が復帰する時間の長時間化を防止することができるため、長時間に渡り室内温度が低い状態でユーザーがサウナ浴を実施することでの不快感を抑制することができる。
【図面の簡単な説明】
【００１１】
【図１】本発明の一実施形態を示すサウナ装置の概略構成図である。
【図２】同一実施形態のサウナ装置の横断面図である。
【図３】同一実施形態のサウナ装置の縦断面図である。
【図４】同一実施形態のサウナ装置の水平断面図である。
【図５】同一実施形態のサウナ装置の外観図である。
【図６】同一実施形態の電気回路ブロック図である。
【図７】同一実施形態の一連の動作を示すフローチャートである。
【図８】同一実施形態のクリーニングモードの作動を示すフローチャートである。
【図９】同一実施形態の除菌モードＡの作動を示すフローチャートである。
【図１０】同一実施形態の立ち上げモードの作動を示すフローチャートである。
【図１１】同一実施形態の安定モードの作動を示すフローチャートである。
【図１２】同一実施形態の除菌モードＢの作動を示すフローチャートである。
【図１３】同一実施形態の乾燥モードの作動を示すフローチャートである。
【図１４】同一実施形態の標準モードの作動を示すフローチャートである。
【図１５】同一実施形態の弱モードの作動を示すフローチャートである。
【図１６】同一実施形態の標準モードと弱モードの制御内容を説明する図である。
【発明を実施するための形態】
【００１２】
次に、本発明のサウナ装置の一実施形態を図面に基づき説明する。
図１において、１は低温のサウナ室２のベンチ３下に備えられた微細水滴及びマイナスイオン発生器で、サウナ室２内の上部まで延びた吸引ダクト４を介して該サウナ室２内の空気を吸引し、塵や細菌を除去した後に、加熱昇温した微細水滴及びマイナスイオンをベンチ３下方に形成した送風口５からサウナ室２に供給して、順次これを繰り返してサウナ室２の空気を循環させることで、サウナ室２を使用室温３８〜４２℃、相対湿度９０％以上の低温高湿サウナの使用雰囲気とするものである。
【００１３】
次に、前記微細水滴及びマイナスイオン発生器１について、図２〜４に基づいて説明する。
６は水を一定量貯留する貯水タンク、７は貯水タンク６の一側壁に接続され貯水タンク６に給水する給水管、８は給水管７の途中に設けられ給水管７の開閉を行う給水弁、９は貯水タンク６に貯められた水を加熱し貯水タンク６の水面下で貯水タンク６底部近傍に単相２００Ｖ、２ＫＷで平面視Ｍ字状に水平に取り付けられてＵ字部１０を３箇所有した加熱ヒータ、１１は貯水タンク６の一側壁に設けたオーバーフロー管、１２は貯水タンク６の底部に接続され貯水タンク６に貯められた水または加熱ヒータ９に加熱された加熱水を排水する排水管、１３は排水管１２の途中に設けられ排水管１２の開閉を行う排水弁である。
【００１４】
１４は前記貯水タンク６内を処理室１５と分離室１６の２室に仕切る仕切壁で、下端を分離室１６側を屈曲し水面との間の連通路１７を水面近傍まで下げることにより、処理室１５から分離室１６へ向かう空気中の大粒のミスト（水滴）を水面にぶつけて落下させる気液分離器の役目も果たすようにしている。
【００１５】
前記処理室１５には、貯水タンク６の蓋体１８に設けた挿通穴１９に、防水カバー２０の凹部２１にミストモータ２２の下半分を収容して挿通し、ミストモータ２２と支軸２３とを連結し、下部を水没させ上方に向かって径が拡大した擂り鉢状の回転体２４が、加熱ヒータ９の給水管７から一番離れた方のＵ字部１０中に垂下して設けられ、この回転体２４は前記ミストモータ２２による駆動で回転し、その遠心力で加熱ヒータ９で加熱された貯水タンク６内の温水を回転体２４表面及びむしろ裏面に沿って吸い上げ、上端に形成した複数の細孔２５から周囲に飛散させるものである。
【００１６】
前記分離室１６には、仕切壁１４の下端を分離室１６下方に向かって傾斜屈曲させた第１の邪魔板２６と、この仕切壁１４と対向する側壁に、下方に向かって傾斜して取り付けた第２の邪魔板２７とで交互に突出させて、中央部に下部の連通路１７から上部の送風口５に向かう蛇行路２８が形成されているものである。
【００１７】
２９は前記回転体２４の外周に所定間隔を保持して位置し、該回転体２４と共に回転する円筒状の多孔体、３０は前記多孔体２９全周壁に形成した多数のスリットや金網やパンチングメタル等から成る衝突体としての多孔部であり、貯水タンク６、加熱ヒータ９、ミストモータ２２、回転体２４及び多孔部３０で加湿空気発生手段が構成されている。
【００１８】
前記加湿空気発生手段を構成するミストモータ２２を駆動させ、回転体２４を回転させたことで発生する遠心力で貯水タンク６内の水を汲み上げると共に空気を飛散させ、多孔部３０を通過した水滴が破砕されることで、水の粒子を微細化してナノメートル（ｎｍ）サイズのミストが生成すると共に、水の粒子の微細化によるレナード効果でマイナスイオンを多量に発生させるものである。
【００１９】
なお、本実施形態では、回転体２４の回転により水を微細化してミストを発生させ、サウナ室２内に微細化したミストを含む加湿空気を送風する内容で説明するが、これに限らず、貯水タンク６内の水を加熱ヒータ９で加熱し水を気化させることで発生した加湿空気をサウナ室２内へ送風し、サウナ室２内を加湿空気で満たしてサウナ浴を可能とするものであってもよい。
【００２０】
３１は前記多孔体２９の外周に所定の間隔を空けて多孔体２９を覆うように配置された楕円形状の空気案内筒で、円筒状の多孔体２９との間には一対の大流通路３２、３２と一対の小流通路３３、３３とが形成されるように、処理室１５の上方を塞ぐ中蓋３４に設けられており、分離室１６の上部で該分離室１６と送風口５とを連通する位置に備えられたクロスフローファンから成る回転数が可変の送風ファン３５の駆動で、吸引ダクト４を介し蓋体１８と中蓋３４との間の給気口３６から吸引されたサウナ室２内の空気を、一側壁に吸引ダクト４が接続される給気口３６を有し蓋体１８と中蓋３４との間の空間で形成される給気室３７に流入させ、処理室１５上部の給気室３７から処理室１５に向かって回転体２４の上方から空気案内筒３１内に流入させることで、水の粒子の破砕回数を増やすと共に、空気のマイナス帯電も増加させ結果としてナノメートルサイズの微細水滴及びマイナスイオンを多量に発生させることができるものであり、例えば、マイナスイオンではサウナ室２の中央部中間位置で約７０００個／ＣＣを検知するものである。
【００２１】
前記空気案内筒３１には、その内周縁に内方に突出したフランジ部３８が設けられ、このフランジ部３８は、回転体２４の回転による遠心力により水が貯水タンク６から汲み上げられ多孔体２９を介して飛散し空気案内筒３１を跳ね返った水が、意図しない箇所、例えば、蓋体１８に固定されたミストモータ２２と支軸２３との接続部近傍や、給気室３７内に飛散するのを防止するために、回転体２４の上面よりも上方の高さ位置に設けられているものである。
【００２２】
３９は貯水タンク６内の底部に備えられ貯水タンク６内の水または温水があるときに検知信号を出力する水位検知手段であり、前記水位検知手段３９は、２つのフロートスイッチ４０、４１で構成されている。
【００２３】
ここで、フロートスイッチ４０は加熱ヒータ９が水面上に露出する前の低水位の時にＯＦＦ信号を出力し、低水位の状態から水位が上昇したらＯＮ信号を出力するものであり、フロートスイッチ４１はフロートスイッチ４０がＯＮ信号の水位ではＯＦＦ信号を出力し、貯水タンク６内の水位が更に高くなって所定水位以上を検知したらＯＮ信号を出力する。
【００２４】
４２は前記２つのフロートスイッチ４０、４１を貯水タンク６の水面変動の影響を受けないように保護する断面コ字状の保護枠で、正面及び両側方を水面上まで突出させた枠体とし、貯水タンク６の一側壁とで２つのフロートスイッチ４０、４１を囲ったものであり、上面で２つのフロートスイッチ４０、４１を垂下して固定している。
【００２５】
４３は吸引ダクト４と共に給気経路を構成する給気口３６に取り付けられたＵ字状の、１００Ｖ、３４０Ｗの空気ヒータで、給気口３６の側壁から突出し該側壁に対して上方をやや後側に寝かせて傾斜させた状態にし、Ｕ字状のヒータ部分が重ならずに小さな面でサウナ室２内からの送風空気と効率良く接するよう配置しサウナ室２内からの空気を加熱するものであり、サウナ装置の運転開始時に送風ファン３５を駆動させると共に、空気ヒータ４３に通電してサウナ室２を循環させる空気を加熱し、サウナ室２の雰囲気温度を上昇させて、立ち上がり時間の短縮を図るものであり、さらに、サウナ装置の運転終了後には送風ファン３５を駆動すると共に空気ヒータ４３に通電させ、温風によってサウナ室２内を乾燥させ、衛生状態の良好を保つようにしたものである。
【００２６】
４４は貯水タンク６の下部外壁で所定水位に設けられ貯水タンク６内の貯水温度を検知する貯水温度センサ、４５は同じく貯水タンク６の下部外壁で所定水位に設けられたサーモスタットであり、前記サーモスタット４５は貯水タンク６が異常過熱状態になった時、加熱ヒータ９と電源とを接続する配線を断線して安全を確保するものである。
【００２７】
なお、前記サーモスタット４５は貯水タンク６が異常過熱状態になったことを素早くかつ確実に検知可能な位置に設置されることが望ましく、フロートスイッチ４０がＯＦＦ信号を出力する低水位の高さ位置となる貯水タンク６の側壁に設置されるのが好ましいものである。
【００２８】
また、図１において、４６はサウナ室２内の上部に取り付けられサウナ室２内の室内温度を検知する室温センサである。４７はサウナ室２を換気する換気扇、４８はサウナ室２への出入り用のドアで、４９はドア４８上部に設けられた覗き窓、５０はドア４８下部に設けられサウナ室２外からサウナ室２内に空気を取り込む空気取入口で、この空気取入口５０は、換気扇４７が駆動すると開いてサウナ室２外からサウナ室２内に空気を供給する構造となっている。また、５１は緊急スイッチで、サウナ室２内で入浴者であるユーザーに異常が発生した場合に、ユーザーによりこの緊急スイッチ５１が操作されると、ブザーを鳴らす等によってサウナ室２内で異常が発生したことをサウナ室２外に報知し、排水弁１３を開弁して貯水タンク６内の温水を排水させると共に、換気扇４７を作動させることで、サウナ室２内の温度及び湿度を低下させてサウナ室２内を平常状態に戻す動作が為されるものである。
【００２９】
次に、図５で示すように５２はこのサウナ装置を遠隔操作するリモコンである。
リモコン５２は、サウナ室２内の室内設定温度を表示する室内設定温度表示部５３と、室温センサ４６の検知するサウナ室２内の温度を表示する室内温度表示部５４と、サウナ室２内のユーザーが所望する室温である設定温度、例えば３８℃〜４２℃を１℃刻みで設定する室温設定手段としての室温設定スイッチ５５と、サウナ装置の運転開始及び停止を指示する運転スイッチ５６と、運転スイッチ５６のＯＮ／ＯＦＦを表示する運転ランプ５７と、換気扇４７を駆動させサウナ室２内の換気運転等を行わせる換気スイッチ５８と、換気スイッチ５８のＯＮ／ＯＦＦを表示する換気ランプ５９と、サウナ室２内が室温設定スイッチ５５で設定した設定温度に達したら点灯してサウナ室２への入室許可を報知する入浴ランプ６０と、前記室温設定スイッチ５５で設定したサウナ室２内の設定温度等を音声で報知するスピーカ６１と、通常運転のモードである標準モードと弱モードとを選択するモード選択スイッチ６２と、当該モード選択スイッチ６２で選択されたモードに対応するランプが点灯するモード表示ランプ６３と、が備えられている。
【００３０】
次に、図６で示す要部電気回路のブロック図を説明すれば、６２は記憶、演算、時間カウント等の機能を有しサウナ装置を制御する制御部で、制御部６２と前記リモコン５２とは無線または有線により通信可能に接続されているものであり、制御部６２の入力側には、フロートスイッチ４０、４１と、貯水温度センサ４４と、サーモスタット４５と、室温センサ４６と、緊急スイッチ５１とが接続されており、出力側には、給水弁８と、加熱ヒータ９と、排水弁１３と、ミストモータ２２と、送風ファン３５と、空気ヒータ４３と、換気扇４７が接続されており、前記制御部６２は、サウナ装置の運転状態に応じて加熱ヒータ９への通電のＯＮ／ＯＦＦ状態を適宜切り替える切替手段６３を備えている。
【００３１】
次にこのサウナ装置の一実施形態の作動について図７から図１３のフローチャートを用いて説明する。
【００３２】
まず、サウナ室２の側壁に備えられたリモコン５２の室温設定スイッチ５５によりサウナ室２の設定温度（３８〜４２℃）を設定し、運転スイッチ５６をＯＮ操作すると運転ランプ５７が点灯してサウナ装置の運転が開始され、サウナ装置の準備運転であるクリーニングモードが開始される（ステップＳ１００）。このクリーニングモードでは、貯水タンク６内の水または温水を排水する排水管１２の開閉を行う排水弁１３を開弁すると共に、貯水タンク６内に給水する給水管７を開閉する給水弁８を開弁して、貯水タンク６内に給水を行って、貯水タンク６内に水を貯める前に貯水タンク６内の底に残ったホコリ、塵、菌などを洗浄して排水するものである。
【００３３】
（クリーニングモードの説明）
次に、上記のクリーニングモードの作動について図８のフローチャートを用いて説明する。
【００３４】
制御部６２は、排水弁１３を開弁させ（ステップＳ１０１）、低水位検知用のフロートスイッチ４０がＯＦＦ信号を出力したかを判断し（ステップＳ１０２）、フロートスイッチ４０がＯＦＦ信号を出力していないと判断している間は前記ステップＳ１０２の処理を繰り返し、フロートスイッチ４０がＯＦＦ信号を出力したと判断すると、一定時間遅延させた後に給水弁８を開弁させる（ステップＳ１０３）。
【００３５】
前記ステップＳ１０３で給水弁８を開弁させ貯水タンク６内に給水を開始すると、続いて、所定時間が経過したか否かを判断し（ステップＳ１０４）、所定時間が経過したと判断すると、排水弁１３を閉弁させて（ステップＳ１０５）、クリーニングモードを終了するものであり、所定時間が経過していなければ前記ステップＳ１０４の判断を繰り返す。
【００３６】
前記ステップＳ１００のクリーニングモードが終了すると、続いて除菌モードＡ（ステップＳ２００）に遷移する。
この除菌モードＡでは、貯水タンク６内底部近傍に配設された加熱ヒータ９の通電を切替手段６３でＯＮ状態にして貯水タンク６内の水を殺菌可能な温度まで加熱すると共に、回転体２４を回転させるミストモータ２２を駆動させて、貯水タンク６内に貯められた水を殺菌すると共に、貯水タンク６から加熱された温水を汲み上げる回転体２４や、回転体２４の外周に配置され回転体２４と共に回転する多孔体２９や、多孔体２９を覆うように配置された空気案内筒３１に付着したホコリ、塵、菌等を洗い流して清潔な状態にし回転体２４、多孔体２９、空気案内筒３１を除菌・殺菌するものである。
【００３７】
（除菌モードＡの説明）
次に、上記の除菌モードＡの作動について図９のフローチャートを用いて説明する。
【００３８】
制御部６２は、低水位検知用のフロートスイッチ４０がＯＮ信号を出力したかを判断し（ステップＳ２０１）、フロートスイッチ４０がＯＮ信号を出力したと判断すると、貯水タンク６内の水を加熱する加熱ヒータ９の通電を切替手段６３でＯＮ状態にすると共に、回転体２４を回転させるミストモータ２２の駆動を開始させ（ステップＳ２０２）、貯水温度センサ４４で検知する貯水タンク６内の温水温度が殺菌可能な所定値（例えば６０℃）以上か否かを判断する（ステップＳ２０３）。
【００３９】
前記ステップＳ２０３で貯水タンク６内の温水温度が６０℃以上であると判断したら、制御部６２は、加熱ヒータ９への通電を切替手段６３でＯＦＦ状態にすると同時に貯水タンク６内の水を加熱殺菌する所定時間、つまり除菌時間のカウントを開始する（ステップＳ２０４）。
【００４０】
前記ステップＳ２０４の後、制御部６２は、貯水温度センサ４４で検知する貯水タンク６内の温水温度が５８℃以下になったら加熱ヒータ９の通電をＯＮ状態にし、貯水温度センサ４４で検知する貯水タンク６内の温水温度が６０℃以上になったら加熱ヒータ９への通電をＯＦＦ状態にすることで、貯水タンク６の温水温度を殺菌可能温度に保つように切替手段６３で加熱ヒータ９のＯＮ／ＯＦＦ状態を切り替え（ステップＳ２０５）、除菌時間である１分間のカウントが終了するまで前記ステップＳ２０５を繰り返す（ステップＳ２０６）。
【００４１】
そして、制御部６２は、除菌時間のカウントが終了したと判断すれば（ステップＳ２０６でＹＥＳ）、加熱ヒータ９の通電をＯＦＦ状態にし（ステップＳ２０７）、除菌モードＡを終了しサウナ装置の準備運転を終了するものである。
【００４２】
なお、前記ステップＳ２０３で貯水タンク６内の温水温度が６０℃より低いと判断したら、制御部６２は、加熱ヒータ９への通電をＯＮ状態に切替手段６３で切り替えるよう信号を送信してから所定時間である３０分経過したか判断し（ステップＳ２０８）、加熱ヒータ９への通電をＯＮ状態に切り替えるよう信号を送信してから３０分経過したと判断したら、排水弁１３を開放して貯水タンク６内の水を排水し、切替手段６３が短絡故障しており加熱ヒータ９への通電のＯＮ／ＯＦＦ状態の切り替えが不可能である旨をスピーカ６１から音声で報知し（ステップＳ２０９）、サウナ装置の準備運転を終了して次のステップに進まないようにする。
【００４３】
また、ステップＳ２０８で加熱ヒータ９への通電をＯＮ状態にしてから３０分経過していなければ（ステップＳ２０８でＮｏ）、前記ステップＳ２０３で貯水タンク６内の温水温度が６０℃以上かの判断を繰り返す。
【００４４】
また、前記ステップＳ２０１でフロートスイッチ４０がＯＮ信号を出力した後、給水が継続され高水位検知用のフロートスイッチ４１がＯＮ信号を出力したときには、制御部６２は給水弁８を閉弁させて給水を終了するものであり、制御部６２は水位検知手段３９（フロートスイッチ４０、４１）からの検知信号に基づき、給水弁８を制御して給水を行い、貯水タンク６を所定水位範囲内に保持するようにするものである。
【００４５】
前記ステップＳ２００の除菌モードＡが終了しサウナ装置の準備運転を終了すると、続いてサウナ装置の通常運転である立ち上げモード（ステップＳ３００）に遷移する。
この立ち上げモードでは、送風ファン３５を強運転に設定し送風ファン３５の駆動を開始させると共に、給気口３６に取り付けられた空気ヒータ４３を通電させ、さらに、貯水タンク６内に貯水されている温水温度を、室温設定スイッチ５５で設定した設定温度よりも高い温度に保つよう加熱ヒータ９の通電ＯＮ／ＯＦＦ状態を切替手段６３で切り替えることで、サウナ室２内の空気を空気ヒータ４３により加熱し、微細水滴及びマイナスイオン発生器１にて、設定温度よりも高い温度に加熱昇温された貯水タンク６内の温水を破砕して生成された微細水滴及びマイナスイオンを、送風ファン３５により送風口５からサウナ室２に供給して、順次これを繰り返してサウナ室２の空気を循環させて、サウナ室２内の立ち上げを早急に行うものである。
【００４６】
（立ち上げモードの説明）
次に、上記の立ち上げモードの作動について図１０フローチャートを用いて説明する。
【００４７】
制御部６２は、送風ファン３５を強運転に設定し送風ファン３５の駆動を開始させると共に空気ヒータ４３を通電させ（ステップＳ３０１）、貯水温度センサ４４で検知する貯水タンク６内の温水温度が４６℃以下になったら加熱ヒータ９の通電をＯＮ状態に切り替え、貯水温度センサ４４で検知する貯水タンク６内の温水温度が４８℃以上になったら加熱ヒータ９への通電をＯＦＦ状態に切り替えるというように、貯水タンク６の温水温度を設定温度より所定温度高い温度に保つように加熱ヒータ９への通電ＯＮ／ＯＦＦ状態を切替手段６３で切り替える（ステップＳ３０２）。
【００４８】
ステップＳ３０２の後、制御部６２は、サウナ室２の上部に設けた室温センサ４６の検知する検知温度が設定温度に達したと判断したら（ステップＳ３０３でＹＥＳ）、リモコン５２の入浴ランプ６０を点灯させると共に、サウナ室２が設定温度で相対湿度９０％以上の低温サウナの使用雰囲気となり入室可能となった旨をスピーカ６１で報知し（ステップＳ３０４）、立ち上げモードを終了する。
【００４９】
なお、この立ち上げモード中に貯水タンク６内の温水が減少した場合であっても、制御部６２は水位検知手段３９（フロートスイッチ４０、４１）からの検知信号に基づき、給水弁８の開閉を制御することで貯水タンク６を所定水位範囲内に保持している。
【００５０】
前記ステップＳ３００の立ち上げモードが終了すると、続いてユーザーが入浴可能な通常運転としての安定モード（ステップＳ４００）に遷移する。
この安定モードでは、室温センサ４６での検知温度がリモコン５２の室温設定スイッチ５５で設定された設定温度に到達するまでは貯水温度センサ４４と設定温度とに基づき加熱ヒータ９のＯＮ／ＯＦＦ状態を切り替え、室温センサ４６での検知温度が設定温度に到達したら加熱ヒータ９をＯＦＦ状態にすることで、サウナ室２内において設定温度での安定した快適なサウナ入浴を行えるようにするものである。
【００５１】
（安定モードの説明）
次に、上記の安定モードの作動について図１１のフローチャートを用いて説明する。
【００５２】
制御部６２は、空気ヒータ４３への通電をＯＦＦにすると共に連続運転時間である予め設定された所定時間（例えば６０分）のカウントを開始する（ステップＳ４０１）。
なお、連続運転時間はサウナ室２内が設定温度に達したときにカウントが開始されるものである。
【００５３】
前記ステップＳ４０１の後、制御部６２は、リモコン５２のモード選択スイッチ６２で選択された通常運転のモードが標準モードかを判断し（ステップＳ４０２）、選択されたモードが標準モードであれば、標準モードで設定された回転数でミストモータ２２と送風ファン３５を駆動させ、リモコン５２で設定された設定温度と貯水温度センサ４４での検知温度とに基づき加熱ヒータ９のＯＮ／ＯＦＦ切り替えを行う（ステップＳ４０３）。
【００５４】
また、モード選択スイッチ６２で選択された通常運転のモードが弱モードであれば、制御部６２は、弱モードで設定された回転数でミストモータ２２と送風ファン３５を駆動させ、リモコン５２で設定された設定温度と貯水温度センサ４４での検知温度とに基づき加熱ヒータ９のＯＮ／ＯＦＦ切り替えを行う（ステップＳ４０４）。
【００５５】
標準モード、弱モードにおけるミストモータ２２と送風ファン３５の回転数、及びリモコン５２で設定された設定温度と貯水温度センサ４４での検知温度とに基づいた加熱ヒータ９のＯＮ／ＯＦＦ切り替え制御の内容は後述する。
【００５６】
前記ステップＳ４０３で標準モード、または前記ステップＳ４０４で弱モードでの各種制御が実施された後、制御部６２は、室温センサ４６で検知された室温がリモコン５２で設定された設定温度以上になったか判断し（ステップＳ４０５）、室温が設定温度以上になったと判断したら、加熱ヒータ９をＯＦＦ状態に切り替えると共に設定温度と貯水温度センサ４４で検知された貯水温度とに基づく加熱ヒータ９の制御を中断する（ステップＳ４０６）。
また、制御部６２によりステップＳ４０５で室温センサ４６で検知された室温が設定温度以上になっていないと判断したら、前記ステップＳ４０２に戻り判断する。
【００５７】
前記ステップＳ４０６で加熱ヒータ９をＯＦＦ状態に切り替えると共に設定温度と貯水温度センサ４４とに基づく加熱ヒータ９の制御を中断したら、制御部６２は、室温センサ４６で検知された室温が所定温度である設定温度−０．５℃以下になったか判断し（ステップＳ４０７）、室温が設定温度−０．５℃以下になっていると判断したら次のステップに遷移し、室温が設定温度−０．５℃以下になっていなければステップＳ４０７の判断を繰り返す。
【００５８】
前記ステップＳ４０７で室温センサ４６で検知された室温が設定温度−０．５℃以下になったと判断したら、制御部６２は、連続運転時間のカウントが終了したか判断し（ステップＳ４０８）、連続運転時間のカウントが終了したと判断したら、スピーカ６１で連続運転時間が終了した旨を音声で報知し入浴ランプ６０及び運転ランプ５７を消灯すると共に、送風ファン３５を停止させ（ステップＳ４０９）、自動的に運転スイッチＯＦＦとなり、安定モードを終了し通常運転を終了する。
また、前記ステップＳ４０８で連続運転時間のカウントが終了していないと判断したら、前記ステップＳ４０２の判断に戻ると共に設定温度と貯水温度センサ４４で検知された貯水温度とに基づく加熱ヒータ９の制御を再開する。
【００５９】
なお、この安定モード中に貯水タンク６内の温水が減少した場合であっても、制御部６２は水位検知手段３９（フロートスイッチ４０、４１）からの検知信号に基づき、給水弁８の開閉を制御することで貯水タンク６を所定水位範囲内に保持している。
【００６０】
前記ステップＳ４００で安定モードが終了し通常運転が終了すると、続いてサウナ装置の終了運転である除菌モードＢ（ステップＳ５００）に遷移する。
この除菌モードＢでは、通常運転で送風ファン３５を駆動させサウナ室２内の空気を循環させた結果、細菌などを取り込んだ貯水タンク６内の温水を、加熱ヒータ９により殺菌可能な温度まで加熱すると共に、回転体２４を回転させるミストモータ２２を駆動させることで、貯水タンク６内に貯められた温水を殺菌すると共に、その温水により貯水タンク６から加熱された温水を汲み上げる回転体２４や、回転体２４の外周に配置され回転体２４と共に回転する多孔体２９や、多孔体２９を覆うように配置された空気案内筒３１に付着したホコリ、塵、菌等を洗い流して清潔な状態にし、回転体２４、多孔体２９、空気案内筒３１を除菌・殺菌するものである。
【００６１】
（除菌モードＢの説明）
次に、上記の除菌モードＢの作動についてフローチャート図１２を用いて説明する。
制御部６２は、貯水温度センサ４４で検知する貯水タンク６内の温水温度が殺菌可能な所定温度（例えば６０℃以上）か否かを判断し（ステップＳ５０１）、貯水タンク６内の温水温度が６０℃以上であると判断したら、加熱ヒータ９への通電をＯＦＦ状態に切り替えると同時に貯水タンク６内の水（温水）を加熱殺菌する所定時間、つまり除菌時間のカウントを開始させ（ステップＳ５０２）、貯水温度センサ４４で検知する貯水タンク６内の温水温度が５８℃以下になったら加熱ヒータ９への通電をＯＮ状態に切り替え、貯水温度センサ４４で検知する貯水タンク６内の温水温度が６０℃以上になったら、加熱ヒータ９への通電をＯＦＦ状態に切り替えるというように、貯水タンク６の温水温度を殺菌可能温度に保つように加熱ヒータ９の通電ＯＮ／ＯＦＦ状態を切替手段６３で切り替えて（ステップＳ５０３）、除菌時間、例えば１分間のカウントが終了するまで前記ステップＳ５０３を繰り返す（ステップＳ５０４）。
【００６２】
そして、除菌時間のカウントが終了したと判断したら（ステップＳ５０４でＹＥＳ）、制御部６２は、切替手段６３で加熱ヒータ９の通電をＯＦＦ状態に切り替えると共に、ミストモータ２２の駆動を停止させ（ステップＳ５０５）、加熱ヒータ９とミストモータ２２との駆動を停止させてから所定時間である２０分が経過したか判断する（ステップＳ５０６）。除菌時間のカウントが終了してから２０分経過していれば排水弁１３を開放して除菌モードＢを終了し（ステップＳ５０７）、２０分経過していなければステップＳ５０６の判断を繰り返す。
【００６３】
前記ステップＳ５００の除菌モードＢが終了すると、続いて乾燥モード（ステップＳ６００）に遷移する。
この乾燥モードでは、送風ファン３５の駆動を開始させると共に、給気口３６に取り付けられた空気ヒータ４３を通電させ、さらに換気扇４７を駆動させることで、微細水滴及びマイナスイオン発生器１内や吸引ダクト４内及びサウナ室２内を乾燥させるものである。
【００６４】
（乾燥モードの説明）
次に、上記の乾燥モードの作動について図１３のフローチャートを用いて説明する。
制御部６２は、送風ファン３５を強運転に設定して送風ファン３５の駆動を開始させると共に空気ヒータ４３を通電させ、さらに換気扇４７を駆動させ（ステップＳ６０１）、換気ランプ５９が点灯し、予め設定した乾燥時間、例えば９０分間のカウントが終了したか否かを判断し（ステップＳ６０２）、乾燥時間が終了したと判断すると、送風ファン３５の駆動を停止させると共に空気ヒータ４３の通電をＯＦＦにし、さらに換気扇４７の駆動を停止させて（ステップＳ６０３）、換気ランプ５９が消灯して乾燥モードを終了しサウナ装置の終了運転を終了してサウナ装置は停止状態となるものである。
なお、排水弁１３は開弁の状態のままサウナ装置は停止状態となるものである。
【００６５】
（標準モードと弱モードの説明）
次に、前記ステップＳ４０３で実施する標準モードと前記ステップＳ４０４で実施する弱モードの詳細な制御内容について説明する。
【００６６】
まず、標準モードについて説明すると、図１４のフローチャートで示すように制御部６２は、加熱ヒータ９をＯＮ状態に切り替え、ミストモータ２２を１２００ｒｐｍで駆動させると共に送風ファン３５を１１８０ｒｐｍで駆動させることで、貯水タンク６で加熱された加湿空気を送風口５からサウナ室２内へ送風し、サウナ室２内を加熱する（ステップＳ７０１）。
【００６７】
前記ステップＳ７０１が完了したら、制御部６２は、リモコン５２の室温設定スイッチ５５で設定された設定温度と貯水温度センサ４４で検知された貯水タンク６内の貯水温度とを比較し、貯水温度センサ４４で検知された貯水温度が設定温度に所定の値を加算した所定の切り替え温度である設定温度＋１℃以上になったか判断し（ステップＳ７０２）、貯水温度が設定温度＋１℃以上になっていれば加熱ヒータ９をＯＦＦ状態に切り替え（ステップＳ７０３）、貯水温度が設定温度＋１℃以上になっていなければステップＳ７０２の判断を繰り返す。
【００６８】
前記ステップＳ７０３が完了したら、制御部６２は、貯水温度センサ４４で検知された貯水温度が設定温度に所定の値を加算した所定の切り替え温度である設定温度−１℃以下になったか判断し（ステップＳ７０４）、貯水温度が設定温度−１℃以下になっていれば加熱ヒータ９をＯＮ状態に切り替え（ステップＳ７０５）、貯水温度が設定温度−１℃以下になっていなければステップＳ７０４の判断を繰り返す。
そして、ステップＳ７０５が完了したら、ステップＳ７０２に戻って判断を繰り返す。
【００６９】
以上のステップＳ７０１からステップＳ７０５までの判断を前記ステップＳ４０５での室温センサ４６で検知された室温が設定温度以上になるまで繰り返す。
【００７０】
例えば、室温設定スイッチ５５で設定温度が４０℃に設定されていれば、貯水温度センサ４４での検知温度について、３９℃以下になったら加熱ヒータ９をＯＮ状態に切り替え、４１℃以上になったら加熱ヒータ９をＯＦＦ状態に切り替えることで、送風口５から加熱された温かい加湿空気をサウナ室２内へ吹き出すことができ、サウナ室２内を設定温度付近に保持することができる。
【００７１】
また、標準モードはサウナ室２内へ送風される加湿空気量が弱モードより多いため、サウナ室２内が大量のマイナスイオンとミストで満たされることから、ユーザーが十分にサウナ浴を楽しむことができる。
【００７２】
続いて弱モードについて説明すると、図１５のフローチャートで示すように制御部６２は、加熱ヒータ９をＯＮ状態に切り替え、ミストモータ２２を８００ｒｐｍで駆動させると共に送風ファン３５を８００ｒｐｍで駆動させることで、貯水タンク６で加熱された加湿空気を送風口５からサウナ室２内へ送風し、サウナ室２内を加熱する（ステップＳ８０１）。
【００７３】
前記ステップＳ８０１が完了したら、制御部６２は、リモコン５２の室温設定スイッチ５５で設定された設定温度と貯水温度センサ４４で検知された貯水タンク６内の貯水温度とを比較し、貯水温度センサ４４で検知された貯水温度が設定温度に所定の値を加算した所定の切り替え温度である設定温度＋３℃以上になったか判断し（ステップＳ８０２）、貯水温度が設定温度＋３℃以上になっていれば加熱ヒータ９をＯＦＦ状態に切り替え（ステップＳ８０３）、貯水温度が設定温度＋３℃以上になっていなければステップＳ８０２の判断を繰り返す。
【００７４】
前記ステップＳ８０３が完了したら、制御部６２は、貯水温度センサ４４で検知された貯水温度が設定温度に所定の値を加算した所定の切り替え温度である設定温度＋１℃以下になったか判断し（ステップＳ８０４）、貯水温度が設定温度＋１℃以下になっていれば加熱ヒータ９をＯＮ状態に切り替え（ステップＳ８０５）、貯水温度が設定温度＋１℃以下になっていなければステップＳ８０４の判断を繰り返す。
そして、ステップＳ８０５が完了したら、ステップＳ８０２に戻って判断を繰り返す。
【００７５】
以上のステップＳ８０１からステップＳ８０５までの判断を前記ステップＳ４０５での室温センサ４６で検知された室温が設定温度以上になるまで繰り返す。
【００７６】
例えば、室温設定スイッチ５５で設定温度が４０℃に設定されていれば、貯水温度センサ４４での検知温度について、４１℃以下になったら加熱ヒータ９をＯＮ状態に切り替え、４３℃以上になったら加熱ヒータ９をＯＦＦ状態に切り替えることで、送風口５から標準モード設定時よりも高温の加湿空気をサウナ室２内へ送風し、サウナ室２内を設定温度付近に保持することができる。
【００７７】
また、弱モードはミストモータ２２及び送風ファン３５の回転数が標準モードより低いため、標準モードより静音性が高いことから、サウナ浴においてユーザーが静かなサウナ室２内でサウナ浴を楽しむことができる。
【００７８】
次に、本発明の効果を説明する。
【００７９】
サウナ浴が実施可能な安定モードにおいて弱モードが設定された場合、室温センサ４６で検知される室温が設定温度に達するまで、貯水温度センサ４４で検知される貯水温度と設定温度とに基づく加熱ヒータ９のＯＮ／ＯＦＦの切り替え温度を標準モード設定時と比較してそれぞれ高くし、送風口５からサウナ室２内へ送風される加湿空気の温度を標準モード設定時より高くしたので、標準モードより送風ファン３５の回転数が低く送風口５から送風される加湿空気量が少ないことで、サウナ室２内を設定温度まで上昇させる能力が標準モードより劣っていても、送風口５から送風される加湿空気の送風温度が標準モードより高いことでサウナ室２内の温度上昇効率を向上させることができるため、弱モード設定時にサウナ室２のドア４８が開閉されサウナ室２内の温度が低下し、設定温度付近まで復帰する時間が標準モード設定時と比較して大幅に長時間化することを抑制することができ、サウナ浴をするユーザーが長時間サウナ室２内で設定温度以下でのサウナ浴を実施し不快に感じることが抑制できる。
【００８０】
また、安定モード中に室温センサ４６で検知された室温が設定温度以上になると、加熱ヒータ９をＯＦＦ状態に切り替え、室温センサ４６で検知された室温が設定室温−０．５℃以下になると、貯水温度センサ４４で検知される貯水温度と所定の切り替え温度とを比較して加熱ヒータ９のＯＮ／ＯＦＦ状態を切り替えるので、サウナ浴の実施時においてサウナ室２内の室温が設定温度から大きく逸脱することがなく、室内温度が設定温度に復帰する時間の長時間化を防止することができるため、サウナ浴の快適性が低下するのを抑制できる。
【００８１】
また、所定の切り替え温度は設定温度に所定の値を加算した温度とし、所定の値を、標準モードより弱モードの方が大きくなるようにしたので、サウナ室２内へ送風される加湿空気の温度が設定温度に応じて確実に変化し、標準モードよりより弱モードの方が送風される加湿空気の温度が高まるため、サウナ室２のドア４８を開閉したことで室内温度が低下した後、室内温度が復帰する時間の長時間化を防止することができるため、長時間に渡り室内温度が低い状態でユーザーがサウナ浴を実施することでの不快感を抑制することができる。
【００８２】
なお、弱モード設定時は標準モード設定時と比較し高温の加湿空気が送風口５から送風されるが、標準モード設定時より送風ファン３５の回転数が低く送風口５から送風される加湿空気の勢いが弱いため、ユーザーがサウナ室２内でサウナ浴を実施している最中、送風口５から送風される加湿空気がユーザーの足元等に触れても、加湿空気の勢いが弱く熱さの体感が標準モード設定時とほぼ変わらないため、サウナ浴におけるユーザーの快適性を損なうことなく、サウナ室２内を早期に設定温度付近に復帰させることができる。
【００８３】
また、本発明では弱モード設定時におけるミストモータ２２と送風ファン３５の回転数が標準モード設定時と比較し低くなっているので、弱モード設定時はミストモータ２２や送風ファン３５から発生する騒音値が標準モード設定時より低く、ユーザーが静音な空間でサウナ浴を楽しむことができる。
【００８４】
なお、本発明の実施形態の説明で用いた標準モード、弱モード設定時におけるミストモータ２２や送風ファン３５の回転数や加熱ヒータ９のＯＮ／ＯＦＦ切り替え温度は一例であり、本発明の趣旨に沿う範囲内での各回転数や切り替え温度の変更は本発明の範疇に属するものである。
【符号の説明】
【００８５】
２    サウナ室
５    送風口
６    貯水タンク
９    加熱ヒータ
３５    送風ファン
４４    貯水温度センサ
４６    室温センサ
４８    ドア
５５    室温設定スイッチ（室温設定手段）
６４    制御部
【図１】
2020081348.tif 000003
【図２】
2020081348.tif 000004
【図３】
2020081348.tif 000005
【図４】
2020081348.tif 000006
【図５】
2020081348.tif 000007
【図６】
2020081348.tif 000008
【図７】
2020081348.tif 000009
【図８】
2020081348.tif 000010
【図９】
2020081348.tif 000011
【図１０】
2020081348.tif 000012
【図１１】
2020081348.tif 000013
【図１２】
2020081348.tif 000014
【図１３】
2020081348.tif 000015
【図１４】
2020081348.tif 000016
【図１５】
2020081348.tif 000017
【図１６】
2020081348.tif 000018